(57)【要約】      （修正有）【課題】装着状態で、作業負荷の軽減を図ることができ、前屈、中腰姿勢等をとる場合にも常に腰への負担を軽減できる動作アシスト用装着具を提供する。【解決手段】腰ベルト２と、左右大腿部ベルト３、４と、腰ベルトの背面側部位と、左右大腿部ベルトの背面側部位との間に架け渡した左右臀部側弾性バンド５、６と、腰背面側部位に後端が連結されている左右肩掛け用弾性バンド７、８と、各肩掛け用弾性バンドの前端部に連結されている左手引っ掛け部１６と、右手引っ掛け部とを備える。左手引っ掛け部、右手引っ掛け部に左右の手を引っ掛け、荷物の上げ下ろし等の作業を行うことで、弾性力を利用して作業負荷を軽減できる。引っ掛け部から左右の手を外せば、拘束されることなく、腕の伸縮、上げ下ろし等の動作が行える。この場合でも、左右臀部側弾性バンドの弾性力によって、立ち上がり、中腰姿勢等において、腰等への負担が軽減される。【選択図】図３
0003219023.tif 000002
【実用新案登録請求の範囲】
【請求項１】
装着者の腰部に巻き付けられる腰ベルトと、
装着者の左大腿部に巻き付けられる左大腿部ベルトと、
装着者の右大腿部に巻き付けられる右大腿部ベルトと、
前記腰ベルトにおける装着者腰部の背面中央部分に位置する腰背面側部位と、前記左大腿部ベルトにおける装着者左大腿部の背面側部分に位置する左大腿部背面側部位との間に架け渡した左臀部側弾性バンドと、
前記腰背面側部位と、前記右大腿部ベルトにおける装着者右大腿部の背面側部位に位置する右大腿部背面側部位との間に架け渡した右臀部側弾性バンドと、
前記腰背面側部位に後端が連結されている左肩掛け用弾性バンドと、
前記腰背面側部位に後端が連結されている右肩掛け用弾性バンドと、
前記左肩掛け用弾性バンドの前端部に連結されている左手引っ掛け部と、
前記右肩掛け用弾性バンドの前端部に連結されている右手引っ掛け部と
を備えていることを特徴とする動作アシスト用装着具。
【請求項２】
請求項１において、
前記腰ベルト、前記左大腿部ベルト、前記右大腿部ベルトのそれぞれは、ベルト長さ調整部を備えている動作アシスト用装着具。
【請求項３】
請求項１または２において、
前記左手引っ掛け部および前記右手引っ掛け部のそれぞれは、ベルト長さ調整部を備えたベルトループである動作アシスト用装着具。
【考案の詳細な説明】
【技術分野】
【０００１】
本考案は、ゴムバンド等の弾性バンドの収縮力を利用して、荷物の持ち上げ作業、老齢者等の介護作業などのアシスト、腰の負担を軽減するためのアシスト等を目的として身体に装着して用いる動作アシスト用装着具に関する。
【背景技術】
【０００２】
ゴムバンド等の弾性バンドを、装着者の腕や脚に沿って装着して、荷物の持ち上げ時の負荷の軽減、屈曲姿勢から立ち上がる際の負荷の軽減などを目的とした装着具が各種提案されている。このような装着具は、特許文献１、２において提案されている。
【０００３】
特許文献１に記載の運搬補助具は、１本のゴムベルトを、肩に沿って左右の腕の間に伸長状態に架け渡し、ゴムベルトの収縮力を利用して、両手で荷物を持ち上げるなどの作業の負荷を軽減できるようにしている。特許文献２に記載の動作補助作業着は、肩から両腕の手首まで、および、腰から両足の足裏まで、それぞれ弾性ベルトが配置された構成の作業着である。両腕による荷物の持ち上げだけでなく、前屈や中腰での作業において両脚、腰等に掛かる負担を軽減できるようにしている。
【先行技術文献】
【特許文献】
【０００４】
【特許文献１】特開２０１３−２３４０６６号公報
【特許文献２】特開２０１７−１９２７１９号公報
【考案の概要】
【考案が解決しようとする課題】
【０００５】
従来における弾性バンドを用いた動作アシスト用の装着具は、装着状態において、荷物等の持ち上げ動作等を行う際には、弾性バンドの弾性力（収縮力等）を利用して作業負荷が軽減される。しかし、それ以外の状態においては、装着者が腕、脚を動かす際に、弾性バンドの弾性力が動きを拘束する拘束力として作用することが多い。装着状態のままであっても、荷物の持ち上げ等の作業を行っていない場合には、弾性バンドによる拘束力が作用せず、自由に腕、脚を動かせることが望ましい。また、前屈、中腰姿勢等の場合には、腰への負担を軽減できるように、常に、弾性バンドの弾性力を利用できることが望ましい。
【０００６】
本考案の目的は、この点に鑑みて、装着状態のままで、必要な場合にのみ弾性バンドの弾性力を利用して作業負荷の軽減等を図ることができ、同時に、前屈、中腰姿勢等をとる場合には常に腰への負担を軽減できるように弾性力が作用する動作アシスト用装着具を提供することにある。
【課題を解決するための手段】
【０００７】
上記の課題を解決するために、本考案の動作アシスト用装着具は、
装着者の腰部に巻き付けられる腰ベルトと、
装着者の左大腿部に巻き付けられる左大腿部ベルトと、
装着者の右大腿部に巻き付けられる右大腿部ベルトと、
腰ベルトにおける装着者腰部の背面中央部分に位置する腰背面側部位と、左大腿部ベルトにおける装着者左大腿部の背面側部分に位置する左大腿部背面側部位との間に架け渡した左臀部側弾性バンドと、
腰背面側部位と、右大腿部ベルトにおける装着者右大腿部の背面側部位に位置する右大腿部背面側部位との間に架け渡した右臀部側弾性バンドと、
腰背面側部位に後端が連結されている左肩掛け用弾性バンドと、
腰背面側部位に後端が連結されている右肩掛け用弾性バンドと、
左肩掛け用弾性バンドの前端部に連結されている左手引っ掛け部と、
右肩掛け用弾性バンドの前端部に連結されている右手引っ掛け部と
を備えていることを特徴としている。
【０００８】
動作アシスト用装着具の装着においては、腰ベルトを装着者の腰に巻き、左大腿部ベルトおよび右大腿部ベルトをそれぞれ装着者の左右の大腿部に巻き付けて固定する。３本のベルトを巻き付けることで、簡単に、動作アシスト用装着具を装着できる。
【０００９】
例えば、荷物を持ち上げる作業を行う際には、左右の手を、左手引っ掛け部および右手引っ掛け部に引っ掛ける。この状態で、荷物の上げ下ろし等の作業を行うことで、左肩掛け用弾性バンド、右肩掛け用弾性バンドの弾性力を利用して作業負荷を軽減できる。また、左臀部側弾性バンド、右臀部側弾性バンドの弾性力によって、作業時の腰への負担が軽減される。
【００１０】
これらのベルトループから左右の手を外せば、動作アシスト用装着具によって拘束されることなく、腕の伸縮、上げ下ろし等の動作が行える。この場合でも、左臀部側弾性バンド、右臀部側弾性バンドの弾性力によって、立ち上がり、中腰姿勢等において、腰等への負担が軽減される。
【００１１】
３本のベルトを装着者の腰部および左右の大腿部に確実に固定できるように、腰ベルト、左大腿部ベルト、右大腿部ベルトのそれぞれは、バックル付きベルト、面ファスナー付きベルト等のように、ベルト長さ調整部を備えたベルトを用いればよい。
【００１２】
また、装着者の体形等に応じて、適切な弾性力が加わるように、左手引っ掛け部および右手引っ掛け部のそれぞれは、アジャスト金具付きベルト等のベルト長さ調整部を備えたベルトループを使用し、適切な長さに調整できるようにすればよい。
【図面の簡単な説明】
【００１３】
【図１】本考案を適用した動作アシスト用装着具の一例を示す説明図である。
【図２】図１の動作アシスト用装着具を装着した状態を示す正面図および背面図である。
【図３】左右の手を左右のベルトループに引っ掛けて左右の腕を伸ばした状態を示す説明図、および、装着者が屈んだ姿勢をとった場合のアシスト用装着具の背面側の状態を示す説明図である。
【考案を実施するための形態】
【００１４】
以下に、図面を参照して、本考案を適用した動作アシスト用装着具の一例を説明する。図１を参照して説明すると、動作アシスト用装着具１は、装着者の腰部に巻き付けられる一定幅の腰ベルト２、装着者の左大腿部に巻き付けられる左大腿部ベルト３、および、装着者の右大腿部に巻き付けられる右大腿部ベルト４が備わっている。
【００１５】
腰ベルト２はバックル付きベルトであり、バックル２ａによって締め付け時の長さを調整できる。腰ベルト２のベルト素材としては布、革、ゴムその他を用いることができる。バックル２ａの代わりに、雄雌の面ファスナー、ホックボタン等の長さ調整機構を用いることもできる。同様に、左大腿部ベルト３、右大腿部ベルト４もバックル付きベルトである。これらのベルトも各種の素材のものを使用でき、また、長さ調整機構としてもバックル３ａ、４ａ以外の機構を用いることができる。
【００１６】
動作アシスト用装着具１は、上記の３本のベルトに加えて、左臀部側弾性バンド５、右臀部側弾性バンド６、左肩掛け用弾性バンド７、および右肩掛け用弾性バンド８を備えている。これら４本のバンドは、延ばすことにより、目的とする作業あるいは動作のアシスト力が得られるように、その弾性特性が設定される。バンドの一部を弾性バンド部分とし、他のバンド部分を伸縮性の無いバンド部分とすることも可能である。
【００１７】
これら４本の弾性バンドの連結位置、連結状態を説明する。まず、腰ベルト２における装着者腰部の背面中央部分に位置する部位を、腰背面側部位２ｂと呼び、左大腿部ベルト３における装着者左大腿部の背面側に位置する部位を、左大腿部背面側部位３ｂと呼び、右大腿部ベルト４における装着者右大腿部の背面側に位置する部位を、右大腿部背面側部位４ｂと呼ぶものとする。
【００１８】
左臀部側弾性バンド５は、腰背面側部位２ｂと、左大腿部背面側部位３ｂとの間に架け渡されている。右臀部側弾性バンド６は、腰背面側部位２ｂと、右大腿部背面側部位４ｂとの間に架け渡されている。左肩掛け用弾性バンド７および右肩掛け用弾性バンド８は、それぞれの後端部７ｂ、８ｂが、腰背面側部位２ｂに連結されている。
【００１９】
本例では、左肩掛け用弾性バンド７をループにして、その後端部７ｂに腰背面側部位２ｂを通した状態で、後端部７ｂを当該腰背面側部位２ｂに対して移動しないように連結されている。他方の右肩掛け用弾性バンド８の後端部８ｂも同様にして腰背面側部位２ｂに連結されている。左肩掛け用弾性バンド７、右肩掛け用弾性バンド８は、後端部７ｂ、８ｂの隣接部分が、結束用バンド９によって相互に束ねられている。また、それぞれのバンドは、結束用のリング１０、１１ａ、１１ｂ、１２ａ、１２ｂによって、束ねられている。リング以外の結束具を用いてもよい。
【００２０】
腰ベルト２の下側の左臀部側弾性バンド５もループにしてあり、その上端部５ａは、腰背面側部位２ｂに連結されている左肩掛け用弾性バンド７の後端部７ｂに通されている。左臀部側弾性バンド５の下端部５ｂは、左大腿部ベルト３の左大腿部背面側部位３ｂを通すことで、ここに連結されている。他方の右臀部側弾性バンド６の上端部６ａ、下端部６ｂも同様に、腰背面側部位２ｂ、右大腿部ベルト４の右大腿部背面側部位４ｂに連結されている。また、これらのバンドは、結束用のリング１３、１４、１５によってそれぞれ束ねられている。
【００２１】
動作アシスト用装着具１は、更に、左肩掛け用弾性バンド７の前端部７ａに連結した左手引っ掛け用ベルトループ１６、および、右肩掛け用弾性バンド８の前端部８ａに連結した右手引っ掛け用ベルトループ１７が備わっている。左手引っ掛け用ベルトループ１６には長さ調整用のアジャスタ１８が取り付けられており、その後端部１６ａは、左肩掛け用弾性バンド７の前端部７ａに連結されている。他方の右手引っ掛け用ベルトループ１７も同様に、アジャスタ１９を備えており、その後端部１７ａは、右肩掛け用弾性バンド８の前端部８ａに連結されている。これらのベルトループは、手を掛けることができればよく、硬質プラスチックリング等の部材を用いることも可能である。
【００２２】
図２（ａ）は動作アシスト用装着具１を装着した状態を示す正面図であり、図２（ｂ）はその背面図である。動作アシスト用装着具１の装着に当たっては、腰ベルト２を装着者Ｐの腰に巻き、左大腿部ベルト３および右大腿部ベルト４をそれぞれ装着者Ｐの左右の大腿部に巻き付けて固定する。３本のベルトを巻き付けることで、動作アシスト用装着具１が装着者Ｐに装着される。また、装着者Ｐの左右の臀部には、腰部の背面中央から左右の大腿部までの間に、左臀部側弾性バンド５および右臀部側弾性バンド６が架け渡された状態になる。
【００２３】
この状態で、左肩掛け用弾性バンド７および右肩掛け用弾性バンド８を、装着者Ｐの背中の側から左右の肩に掛けて前側に引き出す。これらのバンドの前端に取り付けられている左手引っ掛け用ベルトループ１６および右手引っ掛け用ベルトループ１７を、それぞれ左右の胸の辺りに垂れ下がった状態にする。
【００２４】
図３（ａ）は左右の手を左右のベルトループに引っ掛けて左右の腕を伸ばした状態を示す説明図であり、図３（ｂ）は装着者が屈んだ姿勢をとった場合のアシスト用装着具の背面側の状態を示す説明図である。
【００２５】
例えば、荷物を持ち上げる作業を行う際には、装着者Ｐは、図３（ａ）に示すように、左右の手を、左手引っ掛け用ベルトループ１６および右手引っ掛け用ベルトループ１７に引っ掛ける。左右の腕を延ばすと、これに伴って左右の左肩掛け用弾性バンド７および右肩掛け用弾性バンド８も一緒に伸長する。
【００２６】
この状態で、前屈あるいは中腰の姿勢を取り、床等に置いてある荷物を両手で持ち上げる。左肩掛け用弾性バンド７、右肩掛け用弾性バンド８の引張力（弾性力）が両腕を屈曲させる方向に作用するので、荷物の持ち上げ動作において引張力によって一部の負荷が負担される。また、前屈、中腰姿勢を取ると、図３（ｂ）に示すように、腰ベルト２と、左大腿部ベルト３および右大腿部ベルト４との間にそれぞれ架け渡してある左臀部側弾性バンド５および右臀部側弾性バンド６が伸びる。これらのバンドの弾性力が、装着者Ｐに対して腰部を伸ばす方向の力として加わる。これらの弾性力によっても、装着者による荷物の持ち上げ作業の負荷が軽減される。
【００２７】
これに対して、作業を行わない場合には、図２（ａ）に示すように、両手を、左手引っ掛け用ベルトループ１６、右手引っ掛け用ベルトループ１７から外しておく。これにより、左肩掛け用弾性バンド７および右肩掛け用弾性バンド８の弾性力が装着者Ｐには加わらない。よって、装着状態のままであっても、装着者Ｐは、動作アシスト用装着具１によって拘束されることなく、自由に腕、脚を動かすことができる。
【００２８】
また、この場合においても、屈伸動作、中腰姿勢の状態等においては、図３（ｂ）に示すように、左臀部側弾性バンド５、右臀部側弾性バンド６は伸長して、それら弾性力によって、腰への負担が軽減される。
【符号の説明】
【００２９】
１  動作アシスト用装着具
２  腰ベルト
２ａ  バックル
２ｂ  腰背面側部位
３  左大腿部ベルト
３ａ  バックル
３ｂ  左大腿部背面側部位
４  右大腿部ベルト
４ａ  バックル
４ｂ  右大腿部背面側部位
５  左臀部側弾性バンド
５ａ  上端部
５ｂ  下端部
６  右臀部側弾性バンド
６ａ  上端部
６ｂ  下端部
７  左肩掛け用弾性バンド
７ａ  前端部
７ｂ  後端部
８  右肩掛け用弾性バンド
８ａ  前端部
８ｂ  後端部
９  結束用バンド
１０、１１ａ、１１ｂ、１２ａ、１２ｂ  リング
１３、１４、１５  リング
１６  左手引っ掛け用ベルトループ
１６ａ  上端部
１７  右手引っ掛け用ベルトループ
１７ａ  上端部
１８、１９  アジャスタ
Ｐ    装着者
【図１】
0003219023.tif 000003
【図２】
0003219023.tif 000004
【図３】
0003219023.tif 000005